(57)【特許請求の範囲】
【請求項１】
印刷機に供給するロール状に巻き取られた印刷用紙の前処理を行うシステムであって、巻取倉庫と、巻取倉庫から供給された巻取の保護材を自動切断・除去する鏡面処理装置と周面処理装置と、印刷機で自動紙継ぎを行うための両面テープ等の貼り付けを行う仕立て装置と、巻取倉庫および各装置間において巻取を搬送する巻取搬送装置と、各装置間で信号をやり取りする伝送経路とで構成され、
前記巻取倉庫が、巻取を入庫する際に、各巻取毎に必要な前処理を示した処置情報を割り付け、
前記巻取倉庫が、巻取を出庫する際に、巻取前処理を行う鏡面処理装置、周面処理装置、仕立て装置に、前記処置情報を伝送し、
前記鏡面処理装置が、巻取倉庫が伝送した処置情報に基づき、自動鏡面ワンプ切断・除去処理の実行可否を判定する機構と、処置情報の処理不要判定に基づき、自動鏡面ワンプ切断・除去処理を実行せずに、次の装置に巻取を受け渡すか、鏡面処理装置を停止させるか、オペレータに別の処理手段の実行を促すかする機構と、処置情報の処理必要判定に基づき、自動鏡面ワンプ切断・除去処理を行う機構と、自動鏡面ワンプ切断・除去の処理完了を判定する機構と、自動鏡面ワンプ切断・除去に失敗した場合に、当該巻取を後続の装置が処理しないように、後続の処理装置に処理続行不可能信号を伝送する機構と、を有し、
前記周面処理装置が、巻取倉庫が伝送した処置情報に基づき、自動周面ワンプ切断・除去処理の実行可否を判定する機構と、処置情報の処理不要判定に基づき、自動周面ワンプ自動切断・除去処理を実行せずに、次の装置に巻取を受け渡すか、周面処理装置を停止させるか、オペレータに別の処理手段の実行を促すかする機構と、処置情報の処理必要判定に基づき、自動周面ワンプ切断・除去処理を行う機構と、自動周面ワンプ切断・除去の処理完了を判定する機構と、自動周面ワンプ切断・除去に失敗した場合に、当該巻取を後続の装置が処理しないように、後続の処理装置に処理続行不可能信号を伝送する機構と、を有し、
前記仕立て装置が、巻取倉庫が伝送した処置情報に基づき、自動仕立て処理の実行可否を判定する機構と、処置情報の処理不要判定に基づき、自動仕立て処理を実行せずに、次の装置に巻取を受け渡すか、仕立て装置を停止させるか、オペレータに別の処理手段の実行を促すかする機構と、処置情報の処理必要判定に基づき、自動仕立て処理を実行する機構と、前記仕立て装置が、自動仕立て処理の処理完了を判定する機構と、前記仕立て装置が、自動仕立て処理に失敗した場合に、当該巻取を後続の装置が処理しないように、後続の処理装置に処理続行不可能信号を伝送する機構と、を有し、
ことを特徴とする巻取前処理システム。
【請求項２】
巻取倉庫と、巻取倉庫から供給された巻取の保護材を自動切断・除去する鏡面処理装置と周面処理装置と、印刷機で自動紙継ぎを行うための両面テープ等の貼り付けを行う仕立て装置と、巻取倉庫および各装置間において巻取を搬送する巻取搬送装置と、各装置間で信号をやり取りする伝送経路からなる巻取前処理システムが巻取を処理する制御方法において、鏡面処理装置、周面処理装置、仕立て装置の各装置が、巻取倉庫が伝送した処置情報に基づき、巻取前処理を行うか否かを判定し、処理が必要な巻取の場合は、各装置が自動的に当該処理を行い、処理を行う必要がない場合は、自動で行う各装置の処理を行わずに、巻取を次装置に受け渡すか、各装置を停止させるか、オペレータに別作業を督促するかし、各装置が、自動処理に失敗した場合に、後続の処理装置に処理続行不可能信号を伝送し、当該巻取を後続の処理装置に処理させないことを特徴とする巻取前処理システムの制御方法。
【発明の詳細な説明】
【０００１】
【発明の属する技術分野】
本発明は、ロール状に巻き取られた印刷用紙の外周面に巻かれている保護材を自動で切断・除去し、印刷機の自動紙継ぎのために両面テープ等の貼り付けを行い、印刷機の給紙部に供給する、巻取前処理システムに関するものである。
【０００２】
【従来技術】
従来、ロール状の印刷用紙（巻取）の鏡面及び周面を保護する梱包材（ワンプ）を切断・除去する鏡面処理装置や周面処理装置と、印刷機で自動紙継ぎを行うための両面テープ等を巻取に貼り付ける仕立て装置においては、各作業を自動化する装置及び各装置を巻取搬送装置で接続してライン化した巻取前処理システムが、開発されている。
かかる自動化装置及びラインにおいて、その工場で使用される全ての巻取に対応できるのが理想であるが、巻取によって様々な梱包形態があり、全ての巻取に対応しようとすると、部品点数が多く、コストがかかる、大型で複雑な機構を有する装置を作らなければいけないという欠点があり、対応が難しい。
【０００３】
梱包形態が複数種存在するのは、用紙の種類やメーカの違いだけではなく、得意先支給用紙のように印刷会社に用紙の選択権がない場合があることや、近年のコストダウン要求に応えるために梱包形態がまったく異なる輸入紙の使用が増えていることも要因である。
また、用紙の梱包形態は、今後も種類が更に増える傾向にあり、コストをかけて現在使用中の全ての用紙に対応できる装置又は、巻取前処理システムを開発したとしても、今後登場する新しい梱包形態に、全て対応できるとは限らない。
【０００４】
印刷会社の各工場では、通常の生産において数多く使用する巻取を主対象として、巻取前処理システムを導入する。
この場合、巻取前処理システムには、印刷機の要求に従って、自動化した各装置で扱える巻取と扱えない巻取の両方が、巻取倉庫から同一装置に投入されるため、本来巻取前処理に係わるオペレータの作業負荷を減らしたり、作業そのものを自動化する装置であるにもかかわらず、オペレータが常に装置の監視を行い、処理可能な巻取のみを自動で処理させ、処理不可能な巻取が装置に供給された場合は、人手で装置を停止し、処理を手動で行うことが必要となる。
【０００５】
また、前の仕事で残った印刷用紙（以下、残紙という。）は、再び巻取倉庫に収納され、別の仕事において、再度利用する場合がある。この残紙巻取は、すでにワンプが切断・除去されており、前処理が不用なことに加えて、残量が少ないと装置が扱える巻取径より小さくなり、自動処理を行うと装置に障害をもたらす危険性が高いため、自動処理不可能な巻取と同様に、人手で対応しなければならない。
【０００６】
更に、巻取前処理システムにおいて、各装置で自動処理が失敗した場合、当該巻取を後続の装置に供給すると、後続の装置が自動処理する際にも同じように失敗することが多く、装置は停止し、オペレータが手動で復帰させる必要がある。
【０００７】
【発明が解決しようとする課題】
そこで、本発明は、このような問題点を解消すべく、巻取毎に巻取前処理の内容を割り付けた処置情報を各装置に伝送して、各装置で処理内容を判定すること及び、装置間で伝送された信号を元に制御を行うことを着想して、本発明の完成に至ったものである。
【０００８】
本発明は、従来人手で対応していた自動処理不可能な巻取や自動処理が不要な巻取が巻取前処理システムに投入された場合と、各装置の処理が失敗した場合について、オペレータの常時監視が不要で、人が介入せずに自動処理の継続が可能な、巻取前処理システムを提供することを課題としている。
【０００９】
【課題を解決するための手段】
上記の課題を解決するために、第１の発明は、巻取前処理システムを、以下のようにした。
巻取を巻取倉庫に入庫する際に、各巻取に、どのような巻取前処理を行うべきかを含んだ処置情報を割り付けることとした。巻取倉庫は、巻取を出庫する際に処置情報を各装置に伝送することとした。各装置は、処置情報を基に、当該巻取が前処理を必要とするか否かを判定する機構を有することとした。前処理が必要な巻取は、各装置が自動処理を行い、前処理が不要な巻取は、各装置が自動処理を行わずに装置を通過させ、次の装置に巻取を受け渡すか又は、オペレータに別な処理を実行することを督促するか又は、装置を自動的に停止することを特徴とする巻取前処理システムとした。
【００１０】
第２の発明は、前記巻取前処理システムで、各装置の自動処理の完了を判定する機構を持たせ、自動処理が失敗した他装置の障害の原因になる巻取を、後続の前処理装置で自動処理しないことを要旨とする。
【００１１】
【発明の実施の形態】
図面を使って、本発明の実施の形態を説明する。
図１は、本発明の巻取前処理システムが扱う巻取と、ワンプと、仕立て処理を表す。
図２は、本発明の巻取前処理システムで、巻取倉庫１と、鏡面処理装置２と、周面処理装置３と、仕立て装置４が、伝送経路５及び巻取搬送装置６１、６２、６３、６４、６５及び回収巻取搬送装置７０によってライン化され、印刷機８１、８２、８３の要求に従い、巻取前処理を行った巻取を印刷機に供給する。
【００１２】
図３は、本発明の巻取倉庫１で、制御装置１１と、入庫口１２と、出庫口１３と、収納口１４を有する。更に、出庫口１３は、巻取搬送装置６１と接続し、収納口１４は、回収巻取搬送装置７０と接続し、巻取の出し入れを行う。
制御装置１１は、処置情報割り付け機構１１１と、処置情報伝送機構１１２と、処置情報記憶部１１３を有し、更に、伝送経路５に接続し、他装置と情報伝送を行う。
【００１３】
図４は、本発明の鏡面処理装置２で、制御装置２１と、自動鏡面ワンプ切断・除去機構２２と、巻取を次装置に受け渡す巻取受け渡し機構２３と、鏡面ワンプ切断・除去処理が完了したかどうかを判定する鏡面ワンプ切断・除去完了判定機構２４を有する。更に、巻取受け渡し機構２３は、巻取搬送装置６２と接続する。
制御装置２１は、鏡面ワンプ切断・除去処理自動実行判定機構２１１と、処理が不調に終わった場合に、他装置に処理続行不可能を伝送する処理続行不可能信号伝送機構２１２を有する。更に、制御装置２１は、伝送経路５に接続する。
【００１４】
図５は、本発明の周面処理装置３で、制御装置３１と、自動周面ワンプ切断・除去機構３２と、巻取を次装置に受け渡す巻取受け渡し機構３３と、周面ワンプ切断・除去処理が完了したかどうかを判定する周面ワンプ切断・除去完了判定機構３４を有する。更に、巻取受け渡し機構３３は、巻取搬送装置６３と接続する。
制御装置３１は、周面ワンプ切断・除去処理自動実行判定機構３１１と、処理が不調に終わった場合に他装置に処理続行不可能を伝送する、処理続行不可能信号伝送機構３１２を有する。更に、伝送経路５に接続し、他装置と情報伝送を行う。
【００１５】
図６は、本発明の仕立て装置４で、制御装置４１と、自動仕立て処理機構４２と、巻取を次装置に受け渡す巻取受け渡し機構４３と、仕立て処理が完了したかどうかを判定する仕立て処理完了判定機構４４を有する。更に、巻取受け渡し機構４３は、巻取搬送装置６４と接続する。
制御装置４１は、仕立て処理自動実行判定機構４１１と、処理が不調に終わった場合に他装置に処理続行不可能を伝送する、処理続行不可能信号伝送機構４１２を有する。更に、伝送経路５に接続する。
【００１６】
図７は、図３の巻取倉庫１の巻取入出庫の方法を表したものである。
オペレータが入庫口１２又は収納口１４から巻取を入庫する際、巻取前処理に必要な情報を、制御装置１１から入力する。入力された情報に基づき、処置情報割り付け機構１１１が、巻取前処理内容を表す処置情報を各巻取単位に付加し、処置情報記憶部１１３に格納する。
【００１７】
また、巻取倉庫１は、巻取の出庫要求がきた場合は、要求された巻取を出庫口１３から巻取搬送装置６１に対して出庫する。その際、処置情報伝送装置１１２は、処置情報記憶部１１３から当該巻取の処置情報を取り出し、伝送経路５を通して他の装置に伝送する。
【００１８】
図８は、図４の鏡面処理装置２の処理制御方法を表したものである。
鏡面処理装置２は、巻取が供給された場合、伝送経路５から受信した処置情報を、鏡面ワンプ切断・除去処理自動実行判定機構２１１に渡し、鏡面ワンプ切断・除去処理が実行可能か否か判定を行う。
【００１９】
判定結果が処理不要な場合、自動鏡面ワンプ切断・除去機構２２を通さずに、巻取受け渡し機構２３を使用して、巻取を次の装置に供給する。
処置情報を用いて処理内容を判定することにより、鏡面処理装置２が処理しない巻取についても、オペレータの手によらず、巻取前処理を続けることができる。
【００２０】
判定結果が処理必要な場合、自動鏡面ワンプ切断・除去機構２２を使用して鏡面ワンプを自動で切断・除去する。
鏡面ワンプ切断・除去完了判定機構２４は、鏡面ワンプの切断・除去が不調に終わった場合、処理続行不可能信号伝送機構２１２から、伝送経路５を通して、当該巻取の巻取前処理が続行できないことを他装置に伝送する。
鏡面ワンプ切断・除去完了判定機構２４により、前処理が不調に終わった巻取であっても後続の装置に影響を及ぼすことはない。
【００２１】
図９は、図５の周面処理装置３の処理制御方法を表したものである。
周面処理装置３は、巻取が供給された場合、伝送経路５から受信した処置情報を、周面ワンプ切断・除去処理自動実行判定機構３１１に渡し、周面ワンプ切断・除去処理が実行可能か否か判定を行う。
【００２２】
判定結果が処理不要な場合、自動周面ワンプ切断・除去機構３２を通さずに、巻取受け渡し機構３３を使用して、巻取を次の装置に供給する。
処置情報を用いて処理内容を判定することにより、周面処理装置が処理しない巻取についても、オペレータの手によらず、巻取前処理を続けることができる。
【００２３】
判定結果が処理必要な場合、自動周面ワンプ切断・除去機構３２を使用して周面ワンプを自動で切断・除去する。
周面ワンプ切断・除去完了判定機構３４は、周面ワンプの切断・除去が不調に終わった場合、処理続行不可能信号伝送機構３１２から、伝送経路５を通して、当該巻取の巻取前処理が続行できないことを他装置に伝送する。
周面ワンプ切断・除去完了判定機構３４により、前処理が不調に終わった巻取であっても後続の装置に影響を及ぼすことはない。
【００２４】
図１０は、図６の仕立て装置４の処理制御方法を表したものである。
仕立て装置４は、巻取が供給された場合、伝送経路５から受信した処置情報を使い、仕立て処理自動実行判定機構４１１により、仕立て処理が実行可能か否か判定を行う。
【００２５】
判定結果が処理不要な場合、自動仕立て処理機構４２を通さずに、巻取受け渡し機構４３を使用して、巻取を印刷機８１、８２、８３に供給する。
処置情報によって巻取前処理内容を判定することにより、仕立て装置が処理しない巻取についても、オペレータの手によらず、印刷機に巻取を供給することができる。
【００２６】
判定結果が処理必要な場合、自動仕立て処理機構４２を使用して自動で仕立て処理を行う。
仕立て処理完了判定機構４４は、仕立て処理が不調に終わった場合、処理続行不可能信号伝送機構４１２から、伝送経路５を通して、当該巻取の巻取前処理が続行できないことを他装置に伝送する。
仕立て完了判定機構により、前処理が不調に終わった巻取であっても後続の装置に影響を及ぼすことはない。
【００２７】
【実施例】
次に、実施例に基づいて、本発明を更に詳細に説明する。
【００２８】
（実施例１）
図２に示した巻取前処理システムについて述べる。
図３から６に基づいて、本発明の巻取前処理システムの処理を説明する。
図３示した巻取倉庫１において、オペレータは、巻取を入庫口１２から入庫する。この際、巻取識別用の識別子と、用紙の種類やメーカー、用紙幅、斤量、巻取径等の巻取固有の情報に加えて、鏡面ワンプの有無と、周面ワンプの有無と、仕立て処理が既に実施済みか否かを、制御装置１１から入力する。
【００２９】
入力された巻取の情報に基づき、処置情報割り付け機構１１１は、鏡面・周面のワンプの有無、仕立て処理の要・不要と合わせて、図１１に示すような処置情報を割り付ける。割り付けた処置情報は、処置情報記憶部１１３に格納する。
【００３０】
また、巻取倉庫１において、回収巻取搬送装置７０を通して、収納口１４から残紙を入庫する場合、巻取識別子と、巻取径と、残紙である旨を、制御装置１１からオペレータが入力する。処置情報割り付け機構１１１は、残紙故に巻取前処理不要を意味する処置情報を割り付け直して、再度、処置情報記憶部１１３に再格納する。
【００３１】
また、巻取倉庫１は、伝送経路５を通して印刷装置８１又は、８２又は、８３から巻取出庫要求信号を受信した場合は、要求された巻取を出庫口１３から巻取搬送装置６１に対して出庫する。その際、処置情報伝送装置１１２は、処置情報記憶部１１３から、出庫する巻取の処置情報を、巻取識別子や巻取固有情報と対にして取りだし、伝送経路５を通して、鏡面処理装置２、周面処理装置３、仕立て装置４に伝送する。
【００３２】
次に、図４の鏡面処理装置２の処理方法について説明する。
鏡面処理装置２は、巻取倉庫１から巻取搬送装置６１を通して巻取が供給された場合、伝送経路５から受信した処置情報を、鏡面ワンプ切断・除去処理自動実行判定機構２１１に渡し、鏡面ワンプ切断・除去処理が実行可能か否かの判定を行う。
【００３３】
鏡面ワンプ切断・除去処理自動実行判定機構２１１は、処置情報の鏡面ワンプの有無を表す部分を参照し、鏡面ワンプが無の場合、自動鏡面ワンプ切断・除去機構２２を通さずに、巻取受け渡し機構２３を使用して、巻取を巻取搬送装置６２に供給する。
【００３４】
鏡面ワンプが有の場合、自動鏡面ワンプ切断・除去機構２２を使用して鏡面ワンプを自動で切断・除去する。
鏡面ワンプ切断・除去完了判定機構２４は、鏡面ワンプの切断・除去が良好に終了した場合、巻取受け渡し機構２３を使用して、巻取を巻取搬送装置６２に供給する。
鏡面ワンプの切断・除去が不調に終わった場合、処理続行不可能信号伝送機構２１２から、伝送経路５を通して、当該巻取の巻取前処理が続行できないことを他装置に伝送する。
【００３５】
次に、図５の周面処理装置３の処理方法について説明する。
周面処理装置３は、鏡面処理装置２から巻取搬送装置６２を通して巻取が供給された場合、伝送経路５から受信した処置情報を、周面ワンプ切断・除去処理自動実行判定機構３１１に渡し、周面ワンプ切断・除去処理が実行可能か否かの判定を行う。
【００３６】
周面ワンプ切断・除去処理自動実行判定機構３１１は、処置情報の周面ワンプの有無を表す部分を参照し、周面ワンプが無の場合、自動周面ワンプ切断・除去機構３２を通さずに、巻取受け渡し機構３３を使用して、巻取を巻取搬送装置６３に供給する。
【００３７】
周面ワンプが有の場合、自動周面ワンプ切断・除去機構３２を使用して周面ワンプを自動で切断・除去する。
周面ワンプ切断・除去完了判定機構３４は、周面ワンプの切断・除去が良好に終了した場合、巻取受け渡し機構３３を使用して、巻取を巻取搬送装置６３に供給する。
周面ワンプの切断・除去が不調に終わった場合、処理続行不可能信号伝送機構３１２から、伝送経路５を通して、当該巻取の巻取前処理が続行できないことを他装置に伝送する。
【００３８】
次に、図６の仕立て装置４の処理方法について説明する。
仕立て装置４は、周面処理装置３から巻取搬送装置６３を通して巻取が供給された場合、伝送経路５から受信した処置情報を、仕立て自動実行判定機構４１１に渡し、仕立て処理が実行可能か否かの判定を行う。
【００３９】
仕立て処理自動実行判定機構４１１は、処置情報の仕立て処理の有無を表す部分を参照し、仕立て処理が無の場合、自動仕立て処理機構４２を通さずに、巻取受け渡し機構４３を使用して、巻取を巻取搬送装置６３に供給する。
【００４０】
仕立て処理が有の場合、自動仕立て処理機構４２を使用して、自動で仕立て処理を行う。
仕立て処理完了判定機構４４は、仕立て処理が不調に終わった場合、処理続行不可能信号伝送機構４１２から、伝送経路５を通して、当該巻取の巻取前処理が続行できないことを他装置に伝送する。
【００４１】
各装置が処置情報によってそれぞれの処理内容を判定することにより、巻取の処理不要又は処理不可能な巻取についても、オペレータの手によらず、巻取前処理を継続することができる。
また、各自動処理の完了を判定することで、処理が不調に終わった巻取であっても後続の装置に影響を与えずに巻取前処理を続けることができる。
【００４２】
（実施例２）
図１２から１４は、図２の巻取前処理システムにおいて、鏡面処理装置２、周面処理装置３、仕立て処理装置４に、鏡面処理装置停止機構２５と、周面処理装置停止機構３５と、仕立て装置停止機構４５と、別処理督促機構２６、３６、４６として表示灯を、各々付加したものである。図２から３、及び、図１２から１４に基づいて、説明する。
巻取倉庫の入出庫の処理内容は、実施例１と同じである。
【００４３】
鏡面処理装置２において、鏡面ワンプ切断・除去処理自動実行判定機構２１１は、実施例１と同様に、処置情報の鏡面ワンプの有無表す部分を参照し、判定を行う。
鏡面ワンプが無の場合は、自動鏡面ワンプ切断・除去機構２２を通さずに、鏡面処理装置停止機構２５を使用して、鏡面処理装置を停止する。更に、別処理督促機構２６によって、表示灯を点灯させて、オペレータが自動処理によらない別な作業で当該巻取を処理することを促す。
【００４４】
周面処理装置３において、周面ワンプ切断・除去処理自動実行判定機構３１１は、実施例１と同様に、処置情報の周面ワンプの有無を表す部分を参照し、判定を行う。
周面ワンプが無の場合は、自動周面ワンプ切断・除去機構３２を通さずに、周面処理装置停止機構３５を使用して、周面処理装置を停止する。更に、別処理督促機構３６によって、表示灯を点灯させて、オペレータが自動処理によらない別な作業で当該巻取を処理することを促す。
【００４５】
仕立て装置４において、仕立て処理自動実行判定機構４１１は、実施例１と同様に、処置情報の仕立て処理の有無を表す部分を参照し、判定を行う。
仕立て処理が無の場合、自動仕立て処理機構４２を通さずに、仕立て装置停止機構４５を使用して、仕立て装置を停止する。更に、別処理督促機構４６によって、表示灯を点灯させて、オペレータが自動処理によらない別な作業で当該巻取を処理することを促す。
【００４６】
各装置が、処置情報によってそれぞれの処理内容を判定し、巻取の処理不要の場合、自動的に装置を停止し、別処理を督促することで、オペレータが常時監視する必要がない、巻取前処理システムを提供できる。
【００４７】
【発明の効果】
本発明によれば、入庫時点で付加した処置情報に基づいて、各装置がそれぞれの処理内容を判定することで、巻取状態によらず自動処理が可能で、常時、オペレータが巻取と各装置を監視することがない、巻取前処理システム及び制御方法が提供できる。
また、処理続行不可能信号を伝送することで、後続の装置に影響を与えずに、巻取前処理を継続することができ、巻取前処理システムの稼動効率を上げることができる。
【図面の簡単な説明】
【図１】本発明の巻取前処理システムで取り扱う巻取の概要図である。
【図２】本発明の巻取前処理システムの構成図である。
【図３】本発明の巻取倉庫の構成図である。
【図４】本発明の鏡面処理装置の構成図である。
【図５】本発明の周面処理装置の構成図である。
【図６】本発明の仕立て装置の構成図である。
【図７】本発明の巻取倉庫の巻取入出庫の方法を示したフローチャート図である。
【図８】本発明の鏡面処理装置の処理制御方法を示したフローチャート図である。
【図９】本発明の周面処理装置の処理制御方法を示したフローチャート図である。
【図１０】本発明の仕立て装置の処理制御方法を示したフローチャート図である。
【図１１】本発明の巻取に関する情報と処置情報のレコード構成図である。
【図１２】本発明の巻取前処理システムの鏡面処理装置において、自動停止し、オペレータに作業を督促する場合の構成図である。
【図１３】本発明の巻取前処理システムの周面処理装置において、自動停止し、オペレータに作業を督促する場合の構成図である。
【図１４】本発明の巻取前処理システムの仕立て装置において、自動停止し、オペレータに作業を督促する場合の構成図である。
【符号の説明】
１  巻取倉庫
１１、２１、３１、４１  制御装置
１１１  処置情報割り付け機構
１１２  処置情報伝送機構
１１３  処置情報記憶部
１２  入庫口
１３  出庫口
１４  収納口
２  鏡面処理装置
２１１  鏡面ワンプ切断・除去処理自動実行判定機構
２１２、３１２、４１２  処理続行不可能信号伝送機構
２２  自動鏡面ワンプ切断・除去機構
２３、３３、４３  巻取受け渡し機構
２４  鏡面ワンプ切断・除去完了判定機構
２５鏡面処理装置停止機構
２６、３６、４６  別処理督促機構
３  周面処理装置
３１１  周面ワンプ切断・除去処理自動実行判定機構
３２  自動周面ワンプ切断・除去機構
３４  周面ワンプ切断・除去完了判定機構
３５  周面処理装置停止機構
４  仕立て装置
４１１  仕立て処理自動実行判定機構
４２  自動仕立て処理機構
４４  仕立て完了判定機構
４５  仕立て装置停止機構
５  伝送経路
６１、６２、６３、６４  巻取搬送装置
７０  回収巻取搬送装置
８１、８２、８３  印刷機
【図１】
0004752140.tif 000002
【図２】
0004752140.tif 000003
【図３】
0004752140.tif 000004
【図４】
0004752140.tif 000005
【図５】
0004752140.tif 000006
【図６】
0004752140.tif 000007
【図７】
0004752140.tif 000008
【図８】
0004752140.tif 000009
【図９】
0004752140.tif 000010
【図１０】
0004752140.tif 000011
【図１１】
0004752140.tif 000012
【図１２】
0004752140.tif 000013
【図１３】
0004752140.tif 000014
【図１４】
0004752140.tif 000015